(57)【要約】【課題】構造が複雑化することなく、昇降の快適さを向上することが可能なはしごを提供することができる。【解決手段】はしご１０は、少なくとも３段からなる複数のステップと、複数のステップを支持する複数の支柱とを有するはしごであって、下段から順に所定間隔を有して配置された第１、第２及び第３のステップ１１ａ、１１ｂ、１１ｃと、第１のステップ１１ａの左端部と第２のステップ１１ｂの左端部とをつなぐ第１の支柱１２ａと、第２のステップ１１ｂの右端部と第３のステップ１１ｃの右端部とをつなぐ第２の支柱１２ｂとを具備する。第１の支柱１２ａと対向する第１のステップ１１ａの右端部と第２のステップ１１ｂの右端部との間に第１の開放部１５ａが形成され、第２の支柱１２ｂと対向する第２のステップ１１ｂの左端部と第３のステップ１１ｃの左端部との間に第２の開放部１５ｂが形成されている。【選択図】図１
0003208681.tif 000002
【実用新案登録請求の範囲】
【請求項１】
少なくとも３段からなる複数のステップと、前記複数のステップを支持する複数の支柱とを有するはしごであって、
下段から順に所定間隔を有して配置された第１、第２及び第３のステップと、
前記第１のステップの左端部と前記第２のステップの左端部とをつなぐ第１の支柱と、
前記第２のステップの右端部と前記第３のステップの右端部とをつなぐ第２の支柱と
を具備し、
前記第１の支柱と対向する前記第１のステップの右端部と前記第２のステップの右端部との間に第１の開放部が形成され、
前記第２の支柱と対向する前記第２のステップの左端部と前記第３のステップの左端部との間に第２の開放部が形成されていることを特徴とするはしご。
【請求項２】
前記第１のステップ、前記第２のステップ、前記第３のステップ、前記第１の支柱及び前記第２の支柱は、コの字型又はＳ字型の形状を含んでいることを特徴とする請求項１に記載のはしご。
【請求項３】
前記複数の支柱のうち最上側の支柱の上端部に設けられた取り付け具と、
前記複数のステップのいずれかのステップの両側に設けられた支持部材と
をさらに具備することを特徴とする請求項１又は２に記載のはしご。
【考案の詳細な説明】
【技術分野】
【０００１】
本考案は、スキューバダイビング等で用いられるはしごであって、昇降の快適さを向上することが可能なはしごに関する。
【背景技術】
【０００２】
従来、スキューバダイビングを行う場合、モーターボート等の船には、海から船に登るためのはしごが備えられている。このはしごは、左右一対の支柱と、これらの支柱間に所定間隔を有して設けられたステップとを含んで構成されている。
しかし、このようなはしごは、ダイバーにとって非常に登り難い構造であった。つまり、ダイバーは、長さのあるフィン（足ひれ）をブーツに付けた状態で、はしごを登らなければならない。この際、ダイバーは、足を前後かつ上下に動かしてステップを登るため、フィンを簡単に上方のステップに移動させることが難しかった。
【０００３】
このような課題に対し、特許文献１及び特許文献２では、１本の支柱をステップの中央に設けたはしごが提案されている。特許文献１及び特許文献２の場合、ダイバーは、はしごを登る際、フィンを横方向から各ステップへ運ぶことができるので、空気タンクやウエイト等のような重量のある物を身に付けた状態であっても、上方のステップに足を容易に運ぶことができる。
【先行技術文献】
【特許文献】
【０００４】
【特許文献１】特表２００８−５４５９１０号
【特許文献２】実公平７−２４３１７号
【考案の開示】
【考案が解決しようとする課題】
【０００５】
しかしながら、特許文献１のはしごの場合、ステップが昇降時の把持部を兼ねており、ダイバーはこのような把持部を握り難く、昇降が快適であるとは言い難い。また、特許文献２のはしごの場合、ステップの両端に把持部が設けられているが、新たに把持部を形成しているため、構造が複雑となっている。
そこで、本考案は、構造が複雑化することなく、昇降の快適さを向上することが可能なはしごを提供する。
【課題を解決するための手段】
【０００６】
本考案の一態様に係るはしごは、少なくとも３段からなる複数のステップと、前記複数のステップを支持する複数の支柱とを有するはしごであって、下段から順に所定間隔を有して配置された第１、第２及び第３のステップと、前記第１のステップの左端部と前記第２のステップの左端部とをつなぐ第１の支柱と、前記第２のステップの右端部と前記第３のステップの右端部とをつなぐ第２の支柱とを具備し、前記第１の支柱と対向する前記第１のステップの右端部と前記第２のステップの右端部との間に第１の開放部が形成され、前記第２の支柱と対向する前記第２のステップの左端部と前記第３のステップの左端部との間に第２の開放部が形成されている。
【０００７】
前記はしごにおいて、前記第１のステップ、前記第２のステップ、前記第３のステップ、前記第１の支柱及び前記第２の支柱は、コの字型又はＳ字型の形状を含んでいてもよい。
【０００８】
前記はしごにおいて、前記複数の支柱のうち最上側の支柱の上端部に設けられた取り付け具と、前記複数のステップのいずれかのステップの両側に設けられた支持部材とをさらに具備してもよい。
【考案の効果】
【０００９】
本考案は、構造が複雑化することなく、昇降の快適さを向上することが可能なはしごを提供することができる。
【図面の簡単な説明】
【００１０】
【図１】本考案の第１の実施形態に係る角型はしごを示す斜視図。
【図２】本考案の第１の実施形態に係る角型はしごの構成部材の形状を示す斜視図。
【図３】本考案の第２の実施形態に係るＳ型はしごを示す斜視図。
【図４】本考案の第２の実施形態に係る他のＳ型はしごを示す斜視図。
【考案を実施するための形態】
【００１１】
以下、実施形態について、図面を参照して説明する。尚、以下の説明において、同一の機能及び構成を有する要素については、共通する参照符号を付す。
【００１２】
［１］第１の実施形態
図１は、本考案の第１の実施形態に係る角型はしごの斜視図を示す。図２は、本考案の第１の実施形態に係る角型はしごの構成部材の形状を示す。以下、図１及び図２を用いて、第１の実施形態に係る角型はしごの構造について説明する。本実施形態のはしごは、スキューバダイビング等をする場合に使用される船の外壁やプールの壁面等に引っ掛けられるタイプを示している。但し、本実施形態のはしごは、スキューバダイビングに用いられることに限定されず、他の用途（例えば、山登り、スキー等）に使用することも可能である。
【００１３】
図１に示すように、本実施形態に係る角型はしご１０は、ステップ１１ａ、１１ｂ、１１ｃ、１１ｄ、１１ｅ、支柱１２ａ、１２ｂ、１２ｃ、１２ｄ、取り付け具１３ａ、１３ｂ及び支持部材１４ａ、１４ｂを備えている。
【００１４】
本実施形態では、５段のステップ１１ａ、１１ｂ、１１ｃ、１１ｄ、１１ｅが、昇降方向に所定間隔を有して配置されている。但し、ステップ１１ａ、１１ｂ、１１ｃ、１１ｄ、１１ｅの数は、使用用途に応じて種々変更可能である。
【００１５】
支柱１２ａ、１２ｂ、１２ｃ、１２ｄは、ステップ１１ａ、１１ｂ、１１ｃ、１１ｄ、１１ｅを支持している。支柱１２ａは、隣り合う２つのステップ１１ａ及び１１ｂの左端部同士をつなぎ、昇降方向に延在している。支柱１２ｂは、隣り合う２つのステップ１１ｂ及び１１ｃの右端部同士をつなぎ、昇降方向に延在している。支柱１２ｃは、３つのステップ１１ｃ、１１ｄ及び１１ｅの左端部をつなぎ、昇降方向に延在している。支柱１２ｄは、隣り合う２つのステップ１１ｄ及び１１ｅの右端部をつなぎ、昇降方向に延在している。
【００１６】
従って、本実施形態のはしご１０では、支柱１２ａと対向するステップ１１ａの右端部とステップ１１ｂの右端部との間に開放部１５ａが形成され、支柱１２ｂと対向するステップ１１ｂの左端部とステップ１１ｃの左端部との間に開放部１５ｂが形成され、支柱１２ｃの下部と対向するステップ１１ｃの右端部とステップ１１ｄの右端部との間に開放部１５ｃが形成されている。このような開放部１５ａ、１５ｂ、１５ｃを設けることで、ダイバーがステップ１１ａ、１１ｂ、１１ｃにフィンを横方向から入れられるようになっている。なお、図１ではステップ１１ａ、ｂ、ｃ、ｄの４段のステップにおいて開放部１５ａ、ｂ、ｃの３つの開放部を形成しているが、ステップを３段以下として開放部を２つ以下とすることもでき、ステップを５段以上として開放部を４つ以上とすることもできる。
【００１７】
また、水面側である下段から順に配置された３段のステップ１１ａ、１１ｂ、１１ｃ及び支柱１２ａ、１２ｂを含む構造では、コの字型又は逆コの字型、数字の２又は５の形状となっている。
【００１８】
取り付け具１３ａ、１３ｂは、支柱１２ｃ、１２ｄの上端部に設けられ、湾曲している。取り付け具１３ａ、１３ｂは、船等に引っ掛けて吊り下げられるようになっている。但し、取り付け具１３ａ、１３ｂの形状は、船等の利用用途に応じて、種々変更可能である。尚、取り付け具１３ａ、１３ｂの先端に、船等を傷付けないように、ゴム材等からなる保護部材が設けられていてもよい。
【００１９】
支持部材１４ａ、１４ｂは、ステップ１１ｄの両側の支柱１２ｃ、１２ｄに設けられている。この支持部材１４ａ、１４ｂにより、はしご１０を船等にしっかりと固定して取り付けることが可能になると共に、はしご１０が当たることによって船等が損傷することを抑制できる。尚、支持部材１４ａ、１４ｂは、種々変更可能であり、ステップ１１ｅの両側の支柱１２ｃ、１２ｄに配置されてもよいし、本数も２本に限定されない。また、これらの支持部材は船等の形状等によっては必ずしも設ける必要はなく、取り付け具のみを設けることができることはもちろんである。
【００２０】
ステップ１１ａ、１１ｂ、１１ｃ、１１ｄ、１１ｅ、支柱１２ａ、１２ｂ、１２ｃ、１２ｄ、取り付け具１３ａ、１３ｂ及び支持部材１４ａ、１４ｂは、用途に応じて様々な材料で形成することが可能であり、例えばステンレス、アルミニウム、チタン等で形成されている。これらの部材は、すべて同じ材料で形成してもよいし、一部を異なる材料で形成することも可能である。
【００２１】
ステップ１１ａ、１１ｂ、１１ｃ、１１ｄ、１１ｅ、支柱１２ａ、１２ｂ、１２ｃ、１２ｄ、取り付け具１３ａ、１３ｂ及び支持部材１４ａ、１４ｂの断面形状は、円形、四角形、多角形等であり、中が空洞の筒状であってもよい（図２参照）。これらの部材は、すべて同じ断面形状で形成してもよいし、一部を異なる断面形状で形成することも可能である。
【００２２】
ステップと支柱、支柱と取り付け具、支柱と支持部材との連結は溶接により強固に連結することができるが、連結部においてＬ字状、Ｔ字状、直線又は湾曲状の補強部材を取り付けて連結部を補強することができる。補強部材はステップ、支柱等の断面形状に相応した空洞の断面形状を円形、四角形等に形成した筒状とし、空洞内にステップ、支柱等の端部を挿入して固着することにより強度を高めることができる。
【００２３】
上記第１の実施形態の角型はしご１０によれば、隣り合うステップ１１ａ、１１ｂ、１１ｃ、１１ｄ間の端部において、開放部１５ａ、１５ｂ、１５ｃが交互に形成されている。
このため、ダイバーは、はしごを登る際、フィンを横方向から各ステップへ運ぶことができるので、空気タンクやウエイト等のような重量のある物を身に付けた状態であっても、上方のステップに足を容易に運ぶことができる。
また、本実施形態の支柱１２ａ、１２ｂ、１２ｃ、１２ｄが、昇降時の把持部を兼ねており、複雑な構造にすることなく、ダイバーは、通常のはしごと同様に把持部を握り易い。
よって、本実施形態の角型はしご１０は、構造が複雑化することなく、昇降の快適さを向上することができる。
【００２４】
［２］第２の実施形態
図３及び図４は、本考案の第２の実施形態に係るＳ型はしごの斜視図を示す。以下、図３及び図４を用いて、第２の実施形態に係るＳ型はしごの構造について説明する。尚、第２の実施形態では、上記第１の実施形態と異なる構造について主に説明する。
図３に示すように、第２の実施形態のＳ型はしご１０において、第１の実施形態の角型はしご１０と異なる点は、下段のステップ１１ａ、１１ｂ、１１ｃ及び支柱１２ａ、１２ｂ、１２ｃからなる部分の形状である。
【００２５】
具体的には、ステップ１１ａ及び１１ｂをつなぐ支柱１２ａが湾曲し、ステップ１１ｂ及び１１ｃをつなぐ支柱１２ｂが湾曲し、ステップ１１ｃと支柱１２ｃの境界部が湾曲している。そして、ステップ１１ａ、１１ｂ、１１ｃ及び支柱１２ａ、１２ｂ、１２ｃが連続して一体的に形成されている。下段の３つのステップ１１ａ、１１ｂ、１１ｃ及び支柱１２ａ、１２ｂは、Ｓ字型の形状をしている。
【００２６】
尚、図４に示すように、Ｓ型はしご１０は、最上段のステップ１１ｅ以外のステップ１１ａ、１１ｂ、１１ｃ、１１ｄを一体形成し、４つの開放部１５ａ、１５ｂ、１５ｃ、１５ｄを有していてもよい。この場合、支持部材１４ａ、１４ｂは、ステップ１１ｅの両側の支柱１２ｃ、１２ｄに配置してもよい。なお、図３ではステップ１１ａ、ｂ、ｃ、ｄの４段のステップにおいて開放部１５ａ、ｂ、ｃの３つの開放部を形成しているが、ステップを３段以下として開放部を２つ以下とすることもでき、ステップを５段以上として開放部を４つ以上とすることもできる。また図４ではステップ１１ａ、ｂ、ｃ、ｄ、ｅの５段のステップにおいて開放部１５ａ、ｂ、ｃ、ｄの４つの開放部を形成しているが、ステップを４段以下として開放部を３つ以下とすることもでき、ステップを６段以上として開放部を５つ以上とすることもできる。
【００２７】
上記第２の実施形態のＳ型はしご１０によれば、上記第１の実施形態の角型はしご１０と同様の効果を得ることができる。
【００２８】
尚、本考案の実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００２９】
１０…はしご
１１ａ、１１ｂ、１１ｃ、１１ｄ、１１ｅ…ステップ
１２ａ、１２ｂ、１２ｃ、１２ｄ…支柱
１３ａ、１３ｂ…取り付け具
１４ａ、１４ｂ…支持部材
１５ａ、１５ｂ、１５ｃ、１５ｄ…開放部
【図１】
0003208681.tif 000003
【図２】
0003208681.tif 000004
【図３】
0003208681.tif 000005
【図４】
0003208681.tif 000006